(57)【要約】【課題】抵抗器やコンデンサからの中心導体の剥がれが少なく、小型に適した非可逆回路素子を提供する。【解決手段】本発明の非可逆回路素子において、コンデンサＣ１、又は／及び抵抗器Ｒは、絶縁板２４と、この絶縁板２４の上面と側面に形成された電極部２２，又は２５を有し、中心導体５の接続部５ｆは、平坦部５ｄと、この平坦部５ｄから折り曲げられた折り曲げ部５ｅを有し、平坦部５ｄが絶縁板２４の上面に形成された電極部２２，又は２５に固着されると共に、折り曲げ部５ｅが絶縁板２４の側面に形成された電極部２２，又は２５に固着されたため、電極部２２，又は２５に対する中心導体５の固着度合いが強くなって、落下等の衝撃が加わった場合、中心導体５が電極部から剥がれることが少なくなる。【選択図】        図１
2004247920.tif 000002
【特許請求の範囲】
【請求項１】
平板状のフェライト部材と、このフェライト部材上に位置し、誘電体を挟んで上下方向の異なる面に設けられて、上下方向に一部が交叉する導体部を有する第１，第２，第３の中心導体と、この中心導体の前記導体部上に配置された磁石と、この磁石を覆うように配置された第１のヨークと、前記フェライト部材の下面側に配置され、前記第１のヨークとで磁気閉回路を構成する第２のヨークと、前記中心導体の接続部に接続されるコンデンサ、又は／及び抵抗器とを備え、前記コンデンサ、又は／及び前記抵抗器は、絶縁板と、この絶縁板の上面と側面に形成された電極部を有し、前記中心導体の前記接続部は、平坦部と、この平坦部から折り曲げられた折り曲げ部を有し、前記平坦部が前記絶縁板の上面に形成された前記電極部に固着されると共に、前記折り曲げ部が前記絶縁板の側面に形成された前記電極部に固着されたことを特徴とする非可逆回路素子。
【請求項２】
前記抵抗器の前記電極部は、前記絶縁板の一端側に形成された第１の電極部と、前記絶縁板の他端側に形成された第２の電極部を有すると共に、前記絶縁板の上面には、前記第１，第２の電極部に接続された抵抗体が設けられて、前記抵抗器が前記第２のヨーク上に配置され、前記第１の電極部は、前記絶縁板の上面と側面に形成されて、前記接続部が固着されると共に、前記第２の電極部は、前記絶縁板の上面から側面、及び下面に跨って形成され、前記第２の電極部が前記第２のヨークに電気的に接続された状態で前記第２のヨークに固着されたことを特徴とする請求項１記載の非可逆回路素子。
【請求項３】
前記第１の電極部は、前記絶縁板の上面から側面、及び下面に跨って形成され、前記第１の電極部が絶縁体を介して前記第２のヨークと電気的に絶縁されたことを特徴とする請求項２記載の非可逆回路素子。
【請求項４】
前記コンデンサの前記電極部は、前記絶縁板の上面と側面に形成された上部電極部と、前記絶縁板の下面に形成された下部電極部を有し、前記コンデンサが前記第２のヨーク上に配置され、前記接続部が前記上部電極部に固着されると共に、前記下部電極部が前記第２のヨークに電気的に接続された状態で前記第２のヨークに固着されたことを特徴とする請求項１から３の何れかに記載の非可逆回路素子。
【請求項５】
前記中心導体は、互いに交叉する導体部と、この導体部の端部から下方に折り曲げられた折り曲げ片と、この折り曲げ片の端部から折り曲げられた前記平坦部を有することを特徴とする請求項１から４の何れかに記載の非可逆回路素子。
【発明の詳細な説明】
【０００１】
【発明の属する技術分野】
本発明はアンテナ共用器等に適用されるアイソレータやサーキュレータ等の非可逆回路素子に関する。
【０００２】
【従来の技術】
従来の非可逆回路素子の構成を図９、図１０に基づいて説明すると、従来の非可逆回路素子は、箱形の第１のヨーク５１と、この第１のヨーク５１内に配置された円板状の磁石５２と、この磁石５２の下部に配置されたフェライト部材５３と、１２０度の間隔でフェライト部材５３に取り付けられ、一部が互いに交叉した状態となった金属板からなる三つの第１，第２，第３の中心導体５４、５５，５６と、フェライト部材５３を保持する箱形の樹脂ケース５７と、樹脂ケース５７の下部に配置されたコ字状の第２のヨーク５８を有する。
【０００３】
また、樹脂ケース５７には、孔５７ａを有する底壁５７ｂが設けられると共に、この底壁５７ｂには、一部が底壁５７ｂ面と樹脂ケース５７の外部に露出した状態で、端子５９、６０、６１が埋設されている。
そして、第１，第２，第３の中心導体５４，５５，５６を取り付けたフェライト部材５３は、孔５７ａ内に配置されて、第１，第２，第３の中心導体５４，５５，５６の一端側が第２のヨーク５８に接続されている。
【０００４】
チップ型のコンデンサ６２，６３，６４とチップ型の抵抗６５は、孔５７ａの周囲に配置され、コンデンサ６２，６３，６４の下面電極と抵抗６５の一端側の電極６５ａは、それぞれアース用の端子６１に接続されている。
そして、第１の中心導体５４の他端部である先端部５４ａは、図１０に示すように、コンデンサ６２の上面電極と抵抗６５の他端側の電極６５ｂの上面に半田付して接続されている。
【０００５】
また、第２、第３の中心導体５５，５６の中間部５５ａ、５５ａは、図１０に示すように、コンデンサ６３，６４の上面電極に半田付けして接続されると共に、第１，第２の中心導体５５，５６の他端である先端部５５ｂ、５６ｂは、底壁５７ｂ上に露出した端子５９，６０に接続されて、樹脂ケース５７の外部に露出した端子５９，６０から取り出すようになっている。
【０００６】
そして、第１，第２のヨーク５１，５８で磁石５２，フェライト部材５３、及び樹脂ケース５７を挟持した状態で、第１，第２のヨーク５１，５８を結合して、第１，第２のヨーク５１，５８とで磁気閉回路が形成され、非可逆回路素子であるアイソレータが構成されている。（例えば、特許文献１参照）
【０００７】
しかし、このような非可逆回路素子は、近年、小型化されており、縦と横がそれぞれ４〜６ｍｍ程度と小型化されたものにあっては、従来のように、第１の中心導体５４の先端部５４ａがコンデンサ６２の上面電極の上面、及び抵抗６５の電極６５ｂの上面のみに固着されると共に、第２，第３の中心導体５５，５６の中間部５５ａ、５６ａがコンデンサ６３，６４の上面電極の上面のみに固着されているため、落下等の衝撃が加わった場合、第１，第２，第３の中心導体５４，５５，６６がコンデンサ６２，６３，６４や抵抗６５から剥がれる事態が生じた。
【０００８】
【特許文献１】
特開平１０−７９６０７号公報
【０００９】
【発明が解決しようとする課題】
従来の非可逆回路素子は、第１の中心導体５４の先端部５４ａが抵抗６５の電極６５ｂの上面のみに固着されているため、その固着度合いが弱く、落下等の衝撃が加わった場合、先端部５４ａが電極５６ｂから剥がれるという問題がある。
また、第１の中心導体５４の先端部５４ａ、及び第２，第３の中心導体５５，５６の中間部５５ａ、５６ａは、それぞれコンデンサ６２、６３，６４の上面電極の上面のみに固着されているため、その固着度合いが弱く、落下等の衝撃が加わった場合、第１，第２，第３の中心導体５４，５５，５６がコンデンサ６２，６３，６４から剥がれるという問題がある。
【００１０】
そこで、本発明は抵抗器やコンデンサからの中心導体の剥がれが少なく、小型に適した非可逆回路素子を提供することを目的とする。
【００１１】
【課題を解決するための手段】
上記課題を解決するための第１の解決手段として、平板状のフェライト部材と、このフェライト部材上に位置し、誘電体を挟んで上下方向の異なる面に設けられて、上下方向に一部が交叉する導体部を有する第１，第２，第３の中心導体と、この中心導体の前記導体部上に配置された磁石と、この磁石を覆うように配置された第１のヨークと、前記フェライト部材の下面側に配置され、前記第１のヨークとで磁気閉回路を構成する第２のヨークと、前記中心導体の接続部に接続されるコンデンサ、又は／及び抵抗器とを備え、前記コンデンサ、又は／及び前記抵抗器は、絶縁板と、この絶縁板の上面と側面に形成された電極部を有し、前記中心導体の前記接続部は、平坦部と、この平坦部から折り曲げられた折り曲げ部を有し、前記平坦部が前記絶縁板の上面に形成された前記電極部に固着されると共に、前記折り曲げ部が前記絶縁板の側面に形成された前記電極部に固着された構成とした。
【００１２】
また、第２の解決手段として、前記抵抗器の前記電極部は、前記絶縁板の一端側に形成された第１の電極部と、前記絶縁板の他端側に形成された第２の電極部を有すると共に、前記絶縁板の上面には、前記第１，第２の電極部に接続された抵抗体が設けられて、前記抵抗器が前記第２のヨーク上に配置され、前記第１の電極部は、前記絶縁板の上面と側面に形成されて、前記接続部が固着されると共に、前記第２の電極部は、前記絶縁板の上面から側面、及び下面に跨って形成され、前記第２の電極部が前記第２のヨークに電気的に接続された状態で前記第２のヨークに固着された構成とした。
【００１３】
また、第３の解決手段として、前記第１の電極部は、前記絶縁板の上面から側面、及び下面に跨って形成され、前記第１の電極部が絶縁体を介して前記第２のヨークと電気的に絶縁された構成とした。
【００１４】
また、第４の解決手段として、前記コンデンサの前記電極部は、前記絶縁板の上面と側面に形成された上部電極部と、前記絶縁板の下面に形成された下部電極部を有し、前記コンデンサが前記第２のヨーク上に配置され、前記接続部が前記上部電極部に固着されると共に、前記下部電極部が前記第２のヨークに電気的に接続された状態で前記第２のヨークに固着された構成とした。
【００１５】
また、第５の解決手段として、前記中心導体は、互いに交叉する導体部と、この導体部の端部から下方に折り曲げられた折り曲げ片と、この折り曲げ片の端部から折り曲げられた前記平坦部を有する構成とした。
【００１６】
【発明の実施の形態】
本発明の非可逆回路素子の図面を説明すると、図１は本発明の非可逆回路素子の要部断面図、図２は本発明の非可逆回路素子に係り、コンデンサ、及び抵抗器の配置を示す平面図、図３は本発明の非可逆回路素子の分解斜視図である。
【００１７】
また、図４は本発明の非可逆回路素子に係り、中心導体と抵抗器の固着状態を示す要部の斜視図、図５は本発明の非可逆回路素子に係り、中心導体とコンデンサの固着状態を示す要部の斜視図、図６は本発明の非可逆回路素子の他の実施例に係り、中心導体と抵抗器の固着状態を示す要部の斜視図である。
【００１８】
また、図７は本発明の非可逆回路素子をアイソレータに適用した場合の等価回路図、図８は本発明の非可逆回路素子をサーキュレータに適用した等価回路図である。
【００１９】
次に、本発明の非可逆回路素子の構成を図１〜図５に基づいて説明すると、コ字状の磁性板（鉄板等）からなる第１のヨーク１は、縦と横がそれぞれ４ｍｍからなる正方形の上板１ａと、この上板１ａの対向する辺から下方に折り曲げられた対向する一対の側板１ｂとを有する。
円板状の磁石２は、その上面が上板１ａの内面に接触した状態で、第１のヨーク１に適宜手段によって取り付けられている。
【００２０】
コ字状の磁性板（鉄板等）からなる第２のヨーク３は、縦と横がそれぞれ４ｍｍからなる正方形の底板３ａと、この底板３ａの対向する辺から上方に折り曲げられた対向する一対の側板３ｂとを有する。
そして、この第２のヨーク３は、底板３ａが上板１ａと対向して配置された状態で、その一対の側板３ｂが第１のヨーク１の一対の側板１ｂと結合されて、磁気閉回路が形成される。
【００２１】
ＹＩＧ（Ｙｔｔｒｉｕｍ  ｉｒｏｎ  ｇａｒｎｅｔ）等からなる平板状のフェライト部材４は、第２のヨーク３の底板３ａ上に載置された状態で、取り付けられている。
【００２２】
また、チップ型の第１，第２，第３のコンデンサＣ１、Ｃ２，Ｃ３は、板状のセラミック等からなる絶縁板２１と、この絶縁板２１の上面と側面に設けられた銀等からなる上部電極部２２と、絶縁板２１の下面に設けられた下部電極部２３とで構成され、そして、互いに対向する上部電極部２２と下部電極部２３との間で容量が形成されている。
【００２３】
そして、直方体状の第１のコンデンサＣ１は、底板３ａの第１の辺３ｃに沿った状態で、接地用の下部電極部２３が第２のヨーク３の底板３ａに半田付けによって固着されて、下部電極部２３が第２のヨーク３に接地された構成となっている。
【００２４】
また、第２、第３のコンデンサＣ２，Ｃ３は、底板３ａの第１の辺３ｃと対向する第２の辺３ｄに沿った状態で、接地用の下部電極部２３が第２のヨーク３の底板３ａに半田付けによって固着されて、下部電極部２３が第２のヨーク３に接地された構成となっている。
【００２５】
チップ型の抵抗器Ｒは、板状の絶縁板２４と、この絶縁板２４の一端側で、上面と側面に形成された銀等からなる第１の電極部２５と、絶縁板２４の他端側で、上面から側面、及び下面に跨って形成された銀等からなる第２の電極部２６と、第１，第２の電極部２５，２６に接続された状態で、絶縁板２４の上面に設けられた抵抗体２７とで構成されている。
【００２６】
そして、直方体状の抵抗器Ｒは、第１のコンデンサＣ１に並設され、底板３ａの第１の辺３ｃに沿った状態で、第２の電極部２６が第２のヨーク３の底板３ａに半田付けによって固着されて、第２の電極部２６が第２のヨーク３に接地された構成となっている。
【００２７】
この時、第１の電極部２６と抵抗体２７は、第２のヨーク３と絶縁状態となっている。
なお、第１の電極部２５は、上面から側面、及び下面に跨って形成しても良く、この場合、第１の電極部２５は、第２のヨーク３と絶縁を図るために、第２のヨーク３上に絶縁膜等の絶縁体を形成するか、或いは第２の電極部２５の下面に絶縁膜等の絶縁体を設ける等によって、第２のヨーク３との絶縁を行うようにしても良い。
【００２８】
銅等の薄い導電板からなる第１、第２，第３の中心導体５、６，７は、それぞれ導体部５ａ、６ａ、７ａと、導体部５ａ、６ａ、７ａの一端部から下方に折り曲げて設けられた接地用の端子部５ｂ、６ｂ、７ｂと、導体部５ａ、６ａ、７ａの他端部から下方に折り曲げて設けられた折り曲げ片５ｃ、６ｃ、７ｃと、この折り曲げ片５ｃ、６ｃ、７ｃの端部から外側に折り曲げられた平坦部５ｄ、６ｄ、７ｄと、この平坦部５ｄ、６ｄ、７ｄから直角状態で下方に折り曲げられた折り曲げ部５ｅ、６ｅ、７ｅを有し、平坦部５ｄ、６ｄ、７ｄと折り曲げ部５ｅ、６ｅ、７ｅとで接続部５ｆ、６ｆ、７ｆが形成されている。
【００２９】
そして、この第１，第２，第３の中心導体５、６，７の導体部５ａ、６ａ、７ａは、互いに１２０度の間隔を置いて、フェライト部材４の上面に配置されている。
また、フェライト部材４と導体部７ｃ間、及び導体部５ａ、６ａ、７ａ間は、絶縁材からなる誘電体８が配置されて、導体部５ａ、６ａ、７ａ間が互いに絶縁された状態となっている。
【００３０】
このような構成を有する第１，第２，第３の中心導体５、６，７は、端子部５ｂ、６ｂ、７ｂが第２のヨーク３の底板３ａ上に半田付けによって固着されて、接地状態で電気的に接続される。
【００３１】
また、第１の中心導体５の接続部５ｆは、第１のコンデンサＣ１の上部電極２２と、抵抗器Ｒの第１の電極部２５に半田付によって固着されて、電気的に接続された状態となっている。
即ち、図１，図４に示すように、抵抗器Ｒに対しては、平坦部５ｄが第１の電極部２５の上面側に固着され、折り曲げ部５ｅが第１の電極部２５の側面側に固着されると共に、第１のコンデンサＣ１に対しては、平板部５ｄが上部電極部２２の上面に固着されたものとなっている。
【００３２】
なお、第１のコンデンサＣ１に対して接続部５ｆは、上部電極部２２の上面のみに固着されているもので説明したが、上部電極部２２が絶縁板２１の上面と側面に形成され、平坦部５ｄを上部電極部２２の上面側に固着する共に、折り曲げ部５ｅを上部電極部２２の側面側に固着するようにしても良い。
【００３３】
また，第２，第３の中心導体６，７の接続部６ｆ、７ｆは、第２，第３のコンデンサＣ２，Ｃ３の上部電極部２２に半田付けによって固着されて、電気的に接続された構成となっている。
【００３４】
即ち、図５に示すように、第２，第３のコンデンサＣ２，Ｃ３の上部電極部２２のそれぞれの上面側には、平坦部６ｄ、７ｄが半田付けによって固着されると共に、上部電極部２２のそれぞれの側面側には、折り曲げ部６ｅ、７ｅが半田付によって固着されている。
【００３５】
そして、第３の中心導体７の導体部７ａ上には、第１のヨーク１に位置決めされた磁石２が配置され、この状態で、第１，第２のヨーク１，３の側板１ｂ、３ｂ同士が結合されると、第１，第２のヨーク１，３間で磁石２，フェライト部材４等を挟持すると、アイソレータからなる非可逆回路素子が形成される。
【００３６】
また、このような構成を有する非可逆回路素子は、ここでは図示しないが、導電パターンを有する回路基板上に搭載されて、面実装されるようになっている。
【００３７】
また、図７は、本発明の非可逆回路素子をアイソレータに適用した等価回路図を示し、第１の中心導体５の導体部５ａの一端側には、接地された第１のコンデンサＣ１と抵抗器Ｒが接続され、また、第２，第３の中心導体６，７の導体部６ａ、７ａの一端側に入出力端子となる接続部６ｆ、７ｆが設けられている。
また、第２，第３の中心導体６，７の導体部６ａ、７ａの一端側には、接地された第２，第３のコンデンサＣ２，Ｃ３が接続されると共に、第１，第２，第３の中心導体５，６，７の導体部５ａ、６ａ、７ａのそれぞれの他端側の端子部５ｂ、６ｂ、７ｂが接地された構成となっている。
【００３８】
なお、上記実施例においては、非可逆回路素子をアイソレータに適用したもので説明したが、非可逆回路素子をサーキュレータに適用したものでも良い。
そして、図８は、本発明の非可逆回路素子をサーキュレータに適用した等価回路図を示し、第１，第２，第３の中心導体５、６，７の導体部５ａ、６ａ、７ａの一端側に入出力端子となる接続部５ｆ、６ｆ、７ｆが設けられ、また、それぞれの他端側の端子部５ｂ、６ｂ、７ｂが接地されると共に、接続部５ｆ、６ｆ、７ｆのそれぞれには、接地された第１，第２，第３のコンデンサＣ１，Ｃ２，Ｃ３が接続された構成となっている。
【００３９】
また、このサーキュレータに使用される第１，第２，第３のコンデンサＣ１，Ｃ２，Ｃ３のそれぞれの上部電極部２２は、絶縁板２１の上面と側面に形成されて、接続部５ｆ、６ｆ、７ｆの平坦部５ｄ、６ｄ、７ｄが上部電極部２２の上面側に固着されると共に、折り曲げ部５ｅ、６ｅ、７ｅが上部電極部２２の側面側に固着される。
【００４０】
そして、抵抗器Ｒが削除された点を除いて、その他の構成は、前記実施例と同様の構成を有したものとなっている。
【００４１】
また、図６は本発明の非可逆回路素子の他の実施例に係り、この他の実施例は、抵抗器Ｒの第１の電極部２５が絶縁板２４の上面と、絶縁板２４の短手方向の側面に設けられ、接続部５ｆを構成する平坦部５ｄが上面側に、また、折り曲げ部２５ｅが側面側にそれぞれ固着したものである。
【００４２】
その他の構成は、前記実施例と同様の構成を有し、同一部品に同一番号を付し、ここではその説明を省略する。
【００４３】
【発明の効果】
本発明の非可逆回路素子は、平板状のフェライト部材と、このフェライト部材上に位置し、誘電体を挟んで上下方向の異なる面に設けられて、上下方向に一部が交叉する導体部を有する第１，第２，第３の中心導体と、この中心導体の導体部上に配置された磁石と、この磁石を覆うように配置された第１のヨークと、フェライト部材の下面側に配置され、第１のヨークとで磁気閉回路を構成する第２のヨークと、中心導体の接続部に接続されるコンデンサ、又は／及び抵抗器とを備え、コンデンサ、又は／及び抵抗器は、絶縁板と、この絶縁板の上面と側面に形成された電極部を有し、中心導体の接続部は、平坦部と、この平坦部から折り曲げられた折り曲げ部を有し、平坦部が絶縁板の上面に形成された電極部に固着されると共に、折り曲げ部が絶縁板の側面に形成された電極部に固着された構成とした。
このような構成によって、コンデンサ、又は／及び抵抗器の絶縁板の上面に形成された電極部には、中心導体の平坦部が固着されると共に、絶縁板の側面に形成された電極部には、中心導体の折り曲げ部が固着されるため、電極部に対する中心導体の固着度合いが強くなって、落下等の衝撃が加わった場合、中心導体が電極部から剥がれることが少なく、長期の使用に適したものが得られる。
特に、非可逆回路素子が小型化された場合に好適である。
【００４４】
また、抵抗器の電極部は、絶縁板の一端側に形成された第１の電極部と、絶縁板の他端側に形成された第２の電極部を有すると共に、絶縁板の上面には、第１，第２の電極部に接続された抵抗体が設けられて、抵抗器が第２のヨーク上に配置され、第１の電極部は、絶縁板の上面と側面に形成されて、接続部が固着されると共に、第２の電極部は、絶縁板の上面から側面、及び下面に跨って形成され、第２の電極部が第２のヨークに電気的に接続された状態で第２のヨークに固着された構成とした。
このような構成によって、抵抗器の接地構成が簡単であると共に、抵抗器に対する中心導体の固着度合いが強く、中心導体が電極部から剥がれることが少なく、長期の使用に適したものが得られる。
【００４５】
また、第１の電極部は、絶縁板の上面から側面、及び下面に跨って形成され、第１の電極部が絶縁体を介して第２のヨークと電気的に絶縁されたため、絶縁板の側面での第１の電極部の面積を大きくできて、抵抗器に対する中心導体の固着度合いがより強くなり、これによって、中心導体が電極部から剥がれることが少なく、長期の使用に適したものが得られる。
【００４６】
また、コンデンサの電極部は、絶縁板の上面と側面に形成された上部電極部と、絶縁板の下面に形成された下部電極部を有し、コンデンサが第２のヨーク上に配置され、接続部が上部電極部に固着されると共に、下部電極部が第２のヨークに電気的に接続された状態で第２のヨークに固着された構成とした。
このような構成によって、コンデンサの接地構成が簡単であると共に、コンデンサに対する中心導体の固着度合いが強く、中心導体が電極部から剥がれることが少なく、長期の使用に適したものが得られる。
【００４７】
また、中心導体は、互いに交叉する導体部と、この導体部の端部から下方に折り曲げられた折り曲げ片と、この折り曲げ片の端部から折り曲げられた平坦部を有するため、第２のヨークの底板にコンデンサや抵抗器を固着した状態で、中心導体をコンデンサや抵抗器に固着できて、組立性の良好なものが得られる。
【図面の簡単な説明】
【図１】本発明の非可逆回路素子の要部断面図。
【図２】本発明の非可逆回路素子に係り、コンデンサ、及び抵抗器の配置を示す平面図。
【図３】本発明の非可逆回路素子の分解斜視図。
【図４】本発明の非可逆回路素子に係り、中心導体と抵抗器の固着状態を示す要部の斜視図。
【図５】本発明の非可逆回路素子に係り、中心導体とコンデンサの固着状態を示す要部の斜視図。
【図６】本発明の非可逆回路素子の他の実施例に係り、中心導体と抵抗器の固着状態を示す要部の斜視図。
【図７】本発明の非可逆回路素子をアイソレータに適用した場合の等価回路図。
【図８】本発明の非可逆回路素子をサーキュレータに適用した等価回路図。
【図９】従来の非可逆回路素子の分解斜視図。
【図１０】従来の非可逆回路素子に係り、コンデンサと抵抗に対する中心導体の関係を示す平面図。
【符号の説明】
１  第１のヨーク
１ａ  上板
１ｂ  側板
２  磁石
３  第２のヨーク
３ａ  底板
３ｂ  側板
３ｃ  第１の辺
３ｄ  第２の辺
４  フェライト部材
５  第１の中心導体
５ａ  導体部
５ｂ  端子部
５ｃ  折り曲げ片
５ｄ  平坦部
５ｅ  折り曲げ部
５ｆ  接続部
６  第２の中心導体
６ａ  導体部
６ｂ  端子部
６ｃ  折り曲げ片
６ｄ  平坦部
６ｅ  折り曲げ部
６ｆ  接続部
７  第３の中心導体
７ａ  導体部
７ｂ  端子部
７ｃ  折り曲げ片
７ｄ  平坦部
７ｅ  折り曲げ部
７ｆ  接続部
８  誘電体
Ｃ１  第１のコンデンサ
Ｃ２  第２のコンデンサ
Ｃ３  第３のコンデンサ
２１  絶縁板
２２  上部電極部
２３  下部電極部
Ｒ  抵抗器
２４  絶縁板
２５  第１の電極部
２６  第２の電極部
２７  抵抗体
【図１】
2004247920.tif 000003
【図２】
2004247920.tif 000004
【図３】
2004247920.tif 000005
【図４】
2004247920.tif 000006
【図５】
2004247920.tif 000007
【図６】
2004247920.tif 000008
【図７】
2004247920.tif 000009
【図８】
2004247920.tif 000010
【図９】
2004247920.tif 000011
【図１０】
2004247920.tif 000012